(57)【要約】【課題】再生機器間でのコンテンツ視聴の引継ぎを、すでに視聴しているコンテンツの視聴を妨げずに行うことの可能なコンテンツ再生システムを提供する。【解決手段】少なくとも相互に通信可能である第１のコンテンツ再生装置と第２のコンテンツ再生装置を含み、前記第１の再生装置は視聴引継ぎ元であり、前記第２のコンテンツ再生装置は視聴引継ぎ先であるコンテンツ再生システムであって、前記第１のコンテンツ再生装置１００および前記第２のコンテンツ再生装置２００はそれぞれ複数の視聴引継ぎ状態を有し、前記視聴引継ぎ状態において、ユーザからの情報に基づいて、前記視聴引継ぎ状態を適宜、変更し、適切な状態で、コンテンツの視聴の引継ぎを行い、メディア（例えば、ビデオ）の再生を行うようにする。【選択図】図６
2009296379.tif 000002
【特許請求の範囲】
【請求項１】
少なくとも相互に通信可能であり、第１のメディアと該第１のメディアと同期関係にある第２のメディアとからなるコンテンツの視聴引継ぎ元である第１のコンテンツ再生装置と、前記コンテンツの視聴引継ぎ先である第２のコンテンツ再生装置と、を備えたコンテンツ再生システムであって、
前記第１のコンテンツ再生装置および前記第２のコンテンツ再生装置は、それぞれ、前記コンテンツの視聴を引き継ぐために設けた複数の引継ぎ状態の遷移を含む制御・管理を行う制御部を備え、
前記第１のコンテンツ再生装置の前記制御部は、前記第２のコンテンツ再生装置の制御部に対し、前記引継ぎ状態が前記第１のメディアを引き継ぐ状態となった場合に、前記第２のコンテンツ再生装置に対して、前記コンテンツの第１のメディアのみを再生するようにしたことを特徴するコンテンツ再生システム。
【請求項２】
前記第２のコンテンツ再生装置は、前記引継ぎ状態が引継ぎ中の状態である場合に、前記コンテンツの第１のメディアを子画面表示することを特徴とする請求項１に記載のコンテンツ再生システム。
【請求項３】
前記第１のコンテンツ再生装置は、前記引継ぎ状態が前記第１のメディアを引き継ぐ状態となった場合に、前記第１のメディアを再生するための復号部及び表示部の出力を停止することを特徴とする請求項１または請求項２に記載のコンテンツ再生システム。
【請求項４】
少なくとも相互に通信可能であり、第１のメディアと該第１のメディアと同期関係にある第２のメディアとからなるコンテンツの視聴引継ぎ元である第１のコンテンツ再生装置と、前記コンテンツの視聴引継ぎ先である第２のコンテンツ再生装置と、を備えたコンテンツ再生システムに使用する前記第１のコンテンツ再生装置であって、
前記コンテンツの視聴を引き継ぐために設けた複数の引継状態の遷移を含む制御・管理を行う制御部を備え、
前記制御部は、前記第２のコンテンツ再生装置に対し、前記引継ぎ状態が前記第１のメディアを引き継ぐ引継ぎ状態となった場合に、前記第１のメディアの復号部及び表示部の出力を停止することを特徴とする第１のコンテンツ再生装置。
【請求項５】
少なくとも相互に通信可能であり、第１のメディアと該第１のメディアと同期関係にある第２のメディアとからなるコンテンツの視聴引継ぎ元である第１のコンテンツ再生装置と、前記コンテンツの視聴引継ぎ先である第２のコンテンツ再生装置と、を備えたコンテンツ再生システムに使用する前記第２のコンテンツ再生装置であって、
前記コンテンツの視聴を引き継ぐために設けた複数の引継状態の遷移を含む制御・管理を行う制御部を備え、
前記制御部は、前記引継ぎ状態が前記第１のメディアを引き継ぐ状態となった場合に、前記コンテンツの第１のメディアのみを再生するようにしたことを特徴する第２のコンテンツ再生装置。
【請求項６】
少なくとも相互に通信可能であり、第１のメディアと該第１のメディアと同期関係にある第２のメディアとからなるコンテンツの視聴引継ぎ元である第１のコンテンツ再生装置から前記コンテンツの視聴引継ぎ先である第２のコンテンツ再生装置へ、前記コンテンツを引き継ぐ際の前記第１のコンテンツ再生装置による第１のコンテンツ再生方法において、
引継ぎ状態が再生状態である場合、前記第２のコンテンツ再生装置に対し、引継ぎ指示を送出するステップと、
前記引継ぎ指示を送出するステップにより、前記引継ぎ指示を受けた前記第２のコンテンツ再生装置により送出された引継ぎ指示に対応する動作応答を受信するステップと、
さらに、前記引継ぎ状態が前記第１のメディアを引き継ぐ引継ぎ状態となった場合に、前記第１のメディアの復号部及び表示部の出力を停止するステップと、
を備えたことを特徴する第１のコンテンツ再生方法。
【請求項７】
少なくとも相互に通信可能であり、第１のメディアと該第１のメディアと同期関係にある第２のメディアとからなるコンテンツの視聴引継ぎ元である第１のコンテンツ再生装置から前記コンテンツの視聴引継ぎ先である第２のコンテンツ再生装置へ、前記コンテンツを引き継ぐ際の前記第２のコンテンツ再生装置による第２のコンテンツ再生方法において、
引継ぎ状態が引継ぎ中状態である場合、前記第１のコンテンツ再生装置に対し、前記第１のメディアを引き継ぐ引継ぎ通知を送出するステップと、
前記第１のコンテンツ再生装置から前記引継ぎ通知に対応する動作応答を受理した後、前記第１のメディアを引き継ぐ引継ぎ状態に遷移するステップと、
前記第１のメディアを引き継ぐ引継ぎ状態において、前記コンテンツの第１のメディアのみを再生するステップと、
を備えたことを特徴する第２のコンテンツ再生方法。
【請求項８】
請求項６又は請求項７に記載の第１のコンテンツ再生方法及び第２のコンテンツ再生方法をコンピュータに実行させることを特徴とするプログラム。
【発明の詳細な説明】
【技術分野】
【０００１】
本発明は、複数のコンテンツ再生装置間でビデオ再生を引き継ぐ機能を備えるコンテンツ再生システム、コンテンツ再生装置、コンテンツ再生方法及びこの方法をコンピュータに実行させるプログラムに関するものである。
【背景技術】
【０００２】
近年、携帯電話にワンセグ放送受信機能が標準的に搭載されつつあり、また、ｉＰｏｄ等の携帯ビデオプレーヤが普及しつつある。そうした中で、携帯機器と据置機器の間でコンテンツを引き継ぎ再生する機能が求められている。すなわち携帯機器で視聴中のコンテンツを大画面の据置機器で継続して視聴するというものである。
【０００３】
いずれも、携帯機器で視聴中のチャンネルあるいはコンテンツＩＤを据置機器に送信し、指定されたチャンネルあるいはコンテンツＩＤに基づき据置機器側でコンテンツを選択することで、目的を達成するというものである（特許文献１，２参照）。
【特許文献１】特開２００７−７４５２９号公報
【特許文献２】特開２００７−１９５１２１号公報
【発明の開示】
【発明が解決しようとする課題】
【０００４】
前述のように、コンテンツ継続再生機能により、携帯機器で視聴中のコンテンツを大画面で高画質の据置機器で視聴継続することが可能になる。
【０００５】
しかしながら、据置機器で他のユーザがすでにコンテンツを視聴していた場合、上記技術によるコンテンツ継続再生機能を使用しようとすると、すでに視聴しているユーザの視聴を妨げることになるという問題点がある。
【０００６】
そこで、本発明の目的は、据置機器において、すでに他のユーザが別のコンテンツを視聴していた場合でも、継続視聴を行いやすくすることのできるコンテンツ再生システム、コンテンツ再生装置、コンテンツ再生方法及びコンテンツ再生方法をコンピュータに実行させるプログラムを提供することにある。
【課題を解決するための手段】
【０００７】
上記のような問題点を解決するために、本発明に係るコンテンツ再生システム、コンテンツ再生装置、コンテンツ再生方法及びこの方法をコンピュータに実行させるプログラムは、以下のような構成とし、特徴を有する。
【０００８】
本発明に係るコンテンツ再生システムは、少なくとも相互に通信可能であり、第１のメディアと該第１のメディアと同期関係にある第２のメディアとからなるコンテンツの視聴引継ぎ元である第１のコンテンツ再生装置と、前記コンテンツの視聴引継ぎ先である第２のコンテンツ再生装置と、を備えたコンテンツ再生システムであって、前記第１のコンテンツ再生装置および前記第２のコンテンツ再生装置は、それぞれ、前記コンテンツの視聴を引き継ぐために設けた複数の引継ぎ状態の遷移を含む制御・管理を行う制御部を備え、前記第１のコンテンツ再生装置の前記制御部は、前記第２のコンテンツ再生装置の制御部に対し、前記引継ぎ状態が前記第１のメディアを引き継ぐ状態となった場合に、前記第２のコンテンツ再生装置に対して、前記コンテンツの第１のメディアのみを再生するようにしたことを特徴する。
【０００９】
また、本発明に係るコンテンツ再生システムにおいて、前記引継ぎ状態が引継ぎ中の状態である場合に、前記コンテンツの第１のメディアを子画面表示することを特徴とする。
【００１０】
また、本発明に係るコンテンツ再生システムにおいて、前記第１のコンテンツ再生装置は、前記引継ぎ状態が前記第１のメディアを引き継ぐ状態となった場合に、前記第１のメディアを再生するための復号部及び表示部の出力を停止することを特徴とする。
【００１１】
また、本発明に係る第１のコンテンツ再生装置は、少なくとも相互に通信可能であり、第１のメディアと該第１のメディアと同期関係にある第２のメディアとからなるコンテンツの視聴引継ぎ元である第１のコンテンツ再生装置と、前記コンテンツの視聴引継ぎ先である第２のコンテンツ再生装置と、を備えたコンテンツ再生システムに使用する前記第１のコンテンツ再生装置であって、前記コンテンツの視聴を引き継ぐために設けた複数の引継状態の遷移を含む制御・管理を行う制御部を備え、前記制御部は、前記第２のコンテンツ再生装置に対し、前記引継ぎ状態が前記第１のメディアを引き継ぐ引継ぎ状態となった場合に、前記第１のメディアの復号部及び表示部の出力を停止することを特徴とする。
【００１２】
また、本発明に係る第２のコンテンツ再生装置は、少なくとも相互に通信可能であり、第１のメディアと該第１のメディアと同期関係にある第２のメディアとからなるコンテンツの視聴引継ぎ元である第１のコンテンツ再生装置と、前記コンテンツの視聴引継ぎ先である第２のコンテンツ再生装置と、を備えたコンテンツ再生システムに使用する前記第２のコンテンツ再生装置であって、前記コンテンツの視聴を引き継ぐために設けた複数の引継状態の遷移を含む制御・管理を行う制御部を備え、前記制御部は、前記引継ぎ状態が前記第１のメディアを引き継ぐ状態となった場合に、前記コンテンツの第１のメディアのみを再生するようにしたことを特徴する。
【００１３】
本発明に係る第１のコンテンツ再生方法は、少なくとも相互に通信可能であり、第１のメディアと該第１のメディアと同期関係にある第２のメディアとからなるコンテンツの視聴引継ぎ元である第１のコンテンツ再生装置から前記コンテンツの視聴引継ぎ先である第２のコンテンツ再生装置へ、前記コンテンツを引き継ぐ際の前記第１のコンテンツ再生装置による第１のコンテンツ再生方法において、引継ぎ状態が再生状態である場合、前記第２のコンテンツ再生装置に対し、引継ぎ指示を送出するステップと、前記引継ぎ指示を送出するステップにより、前記引継ぎ指示を受けた前記第２のコンテンツ再生装置により送出された引継ぎ指示に対応する動作応答を受信するステップと、さらに、前記引継ぎ状態が前記第１のメディアを引き継ぐ引継ぎ状態となった場合に、前記第１のメディアの復号部及び表示部の出力を停止するステップと、を備えたことを特徴する。
【００１４】
本発明に係る第２のコンテンツ再生方法は、少なくとも相互に通信可能であり、第１のメディアと該第１のメディアと同期関係にある第２のメディアとからなるコンテンツの視聴引継ぎ元である第１のコンテンツ再生装置から前記コンテンツの視聴引継ぎ先である第２のコンテンツ再生装置へ、前記コンテンツを引き継ぐ際の前記第２のコンテンツ再生装置による第２のコンテンツ再生方法において、引継ぎ状態が引継ぎ中状態である場合、前記第１のコンテンツ再生装置に対し、前記第１のメディアを引き継ぐ引継ぎ通知を送出するステップと、前記第１のコンテンツ再生装置から前記引継ぎ通知に対応する動作応答を受理した後、前記第１のメディアを引き継ぐ引継ぎ状態に遷移するステップと、前記第１のメディアを引き継ぐ引継ぎ状態において、前記コンテンツの第１のメディアのみを再生するステップと、を備えたことを特徴する。
【００１５】
また、本発明に係るプログラムは、前記コンテンツ再生方法を実行することを特徴とする。
【発明の効果】
【００１６】
本発明のコンテンツ再生システム、コンテンツ再生装置、コンテンツ再生方法及びこの方法をコンピュータに実行させるプログラムによれば、以下に示す優れた効果を奏し得る。
【００１７】
本発明に係るコンテンツ再生システム、コンテンツ再生方法及びこの方法をコンピュータに実行させるプログラムによれば、据置機器においてユーザが別のコンテンツを視聴していた場合でも、該引継ぎ指示に対応する動作応答を確認し、引継ぎの際に、音声出力に影響を与えず、しかも映像出力への影響を最小限にすることで、継続視聴をスムーズに行いやすくすることができる。
【００１８】
また、本発明に係る第１のコンテンツ再生装置によれば、前記引継ぎ状態が映像引継ぎ状態である場合に、前記第１のメディアの映像出力を停止することにより、消費電力を削減することができる。
【００１９】
また、本発明に係る第２のコンテンツ再生装置によれば、視聴引継ぎ元である第１のコンテンツを子画面表示することで、第２の再生装置により第２のコンテンツを視聴しているユーザに対して引継ぎの際に、音声出力に影響を与えず、しかも映像出力への影響を最小限にすることで、コンテンツ視聴への影響を小さくすることができる。
【発明を実施するための最良の形態】
【００２０】
以下、本発明に係るコンテンツ再生システム、コンテンツ再生装置、コンテンツ再生方法及びこの方法をコンピュータに実行させるプログラムについて図面を参照しながら説明を行う。
【００２１】
まず、本実施形態に係るコンテンツ再生システムの全体の概略構成およびその動作概要について説明する。尚、本実施形態では、携帯プレーヤと据置プレーヤを利用した場合のコンテンツ再生システムについて説明するが、本発明はこれらの装置に限定されず、ＰＣ（Ｐｅｒｓｏｎａｌ  Ｃｏｍｐｕｔｅｒ）等、再生装置の形態は問わない。
【００２２】
＜全体システム構成＞
図１は、本実施形態に係るコンテンツ再生システムの一構成例を示す。
【００２３】
図１に示す本コンテンツ再生システムは、コンテンツ（ここでは、第１のメディアである映像情報と第２のメディアである音声情報とからなるものとする）の視聴引継ぎ元である携帯プレーヤ１００（第１のコンテンツ再生装置）と、視聴引継ぎ先である据置プレーヤ２００（第２のコンテンツ再生装置）とを備えて構成され、携帯プレーヤ１００と据置プレーヤ２００間は相互無線通信により、相互間のデータ制御および画像データを含むデータの転送を行うように構成されている。
【００２４】
＜携帯プレーヤのシステム構成＞
図２は、本実施形態におけるコンテンツ再生システムの携帯プレーヤ１００の一構成例を示す機能ブロック図である。
【００２５】
携帯プレーヤ１００は、ワンセグ放送用チューナを備え、映像・音声を再生することのできる装置である。図２に示すように、携帯プレーヤ１００は、再生部１１０、表示部１２０、音声出力部１３０、制御部１４０、送受信部１５０、Ｕ／Ｉ部１６０を備えている。実線の矢印はデータの流れを示し、破線軸の矢印は制御信号の向きを表している。以下、各処理部の動作概要と各部間の関係を説明する。
【００２６】
再生部１１０は、アンテナ１７０を介してワンセグ放送波を受信し、復調・デコードした後、非圧縮のビデオ・オーディオデータを出力する。表示部１２０は、液晶ディスプレイであり、後述するビデオデコーダ１１０ｃによりデコードされた非圧縮ビデオデータを表示する。音声出力部１３０は、スピーカあるいはイヤホンであり、後述するオーディオデコーダ１１０ｄから出力される非圧縮オーディオデータを音波として出力する。
【００２７】
Ｕ／Ｉ部１６０は、ユーザによる再生開始、終了、一時停止等のユーザ操作情報を受け付け、制御信号として制御部１４０に送出する。送受信部１５０は、据置プレーヤ２００と無線通信を行い、前述したように、相互間のデータ制御および画像データを含むデータの転送を行う。また、制御部１４０は、上記各処理部から各種通知を受け、それに基づき各種制御を行うとともに、本発明のコンテンツ再生システムの特徴部分である視聴引継ぎ状態等の管理もこの制御部１４０が行う。
【００２８】
なお、再生部１１０は、上記説明したワンセグ放送用チューナを備え、ワンセグ放送の映像・音声を再生する映像・音声を再生する他、装置内に記憶されている映像・音声を再生することができる処理部でもある。
【００２９】
図３は、再生部１１０のワンセグ放送の映像・音声を再生部分の概略構成を示すブロック図である。
【００３０】
図３に示すように、再生部１１０は、受信・復調部１１０ａ、ＤＥＭＵＸ１１０ｂ、ビデオデコーダ（復号部）１１０ｃ、オーディオデコーダ１１０ｄを備えている。ここで、受信・復調部１１０ａは、ワンセグ放送を受信・復調し、ＭＰＥＧ−２  Ｔｒａｎｓｐｏｒｔ  Ｓｔｒｅａｍを出力する。ＤＥＭＵＸ１１０ｂは、受信・復調部１１０ａから出力されるＭＰＥＧ−２  Ｔｒａｎｓｐｏｒｔ  Ｓｔｒｅａｍに多重化されているビデオＥＳ（Ｅｌｅｍｅｎｔａｒｙ  Ｓｔｒｅａｍ）およびオーディオＥＳを分離する。ビデオデコーダ１１０ｃおよびオーディオデコーダ１１０ｄは、前記ビデオＥＳおよびオーディオＥＳをそれぞれデコードし、非圧縮のビデオ・オーディオデータを出力する。
【００３１】
＜据置プレーヤのシステム構成＞
図４は、本実施形態における据置プレーヤ２００の一構成例を示す機能ブロック図である。
【００３２】
据置プレーヤ２００は、デジタル放送用チューナを２個備え、同時に受信・表示できる装置である。図４に示すように、据置プレーヤ２００は、送受信部２１０、制御部２２０、再生部２３０、再生部２４０、画面管理部２５０、映像合成部２６０、表示部２７０、音声選択部２８０、音声出力部２９０を備えている。以下、各処理部の概要と各部間の関係を説明する。
【００３３】
再生部２３０および再生部２４０は、デジタル放送を受信・復調・デコードし、非圧縮ビデオデータおよび非圧縮オーディオデータとして出力する。なお、再生部２３０および再生部２４０の構成は、ワンセグ放送と通常のデジタル放送との違いを除けば再生部１１０と共通であるため、構成の説明は省略する。
【００３４】
映像合成部２６０は再生部２３０および再生部２４０から出力される非圧縮ビデオデータを画面管理部２５０からの指示に従って合成し、表示部２７０に送る。表示部２７０は、液晶ディスプレイであり、映像合成部２６０の出力を表示する。表示形態としては、全画面表示および親子画面表示がある。親子画面表示においては、図５（ａ）に示すような表示形態を採る。ただし、図５（ｂ）（ｃ）に示す表示形態のいずれも適用可能である。
【００３５】
音声選択部２８０は、再生部２３０および再生部２４０から出力される非圧縮オーディオデータを画面管理部２５０からの指示に従って切り替え、音声出力部２９０に出力する。音声出力部２９０はスピーカあるいはイヤホンであり、音声選択部２８０から送られた非圧縮オーディオデータを音波として出力する。
【００３６】
次に、上記のように構成された本実施形態に係るコンテンツ再生システムの概略動作について状態遷移図（図６、８）を用いて説明する。
【００３７】
＜携帯プレーヤの状態遷移及び各処理部の動作の関係についての説明＞
携帯プレーヤの動作状態には「非再生状態」、「再生状態」、「引継ぎ中状態」及び「映像引継ぎ状態」の４種類があり、前述のように制御部１４０がこれらの状態遷移等を管理している。
【００３８】
図６は、携帯プレーヤ１００における引継ぎの状態遷移を示す説明図である。
【００３９】
図６に示すように、まず、電源投入により「非再生状態」となる。この非再生状態において、Ｕ／Ｉ部１６０を通じて再生指示を受けることで「再生状態」に遷移する。
【００４０】
この「再生状態」において、Ｕ／Ｉ部１６０から停止指示を受けると「非再生状態」に戻る。Ｕ／Ｉ部１６０から、据置プレーヤへの引継ぎ指示を受けた場合には、据置機器２００に対して引継ぎ命令を据置プレーヤに対して送信した上で、「引継ぎ中状態」に遷移する。
【００４１】
「引継ぎ中状態」では、据置機器２００からキャンセル通知があった場合や、所定の時間内に応答がなかった場合には、「再生状態」に戻る。一方、据置機器２００から映像引継ぎ通知があった場合、「映像引継ぎ状態」に遷移する。
【００４２】
「映像引継ぎ状態」においては、据置機器２００からキャンセル通知があった場合、「再生状態」に戻る。一方、据置機器２００から引継ぎ完了通知が到着する場合、「非再生状態」に遷移する。
【００４３】
各状態における各処理ブロックの稼動状態を図７に示す。「非再生状態」ではビデオデコーダ１１０ｃ、オーディオデコーダ１１０ｄ、受信・復調部１１０ａ、ＤＥＭＵＸ１１０ｂ、表示部１２０をすべて停止し、「再生状態」「引継ぎ中状態」においてはすべて稼動させる。「映像引継ぎ状態」においては、ビデオデコーダ１１０ｃおよび表示部１２０を停止する。
【００４４】
このように、動作状態を細かく定義することにより、据置機器２００から各状態において適切な通知を受けることによって、据置機器２００が現在どのような状況にあるかを判断し、すでに他のユーザが別のコンテンツを視聴していた場合でも、継続視聴、視聴中止等の判断を即座に行うことができる。
また、動作状態を細かく定義することにより、バッテリ持続時間が重要である携帯機器での消費電力低減を図っている。具体的には「映像引継ぎ状態」の場合において、ビデオデコーダ１１０ｃおよび表示部１２０を停止することで、引継ぎ中の携帯機器の消費電力を削減することが可能になっている。
【００４５】
なお、本実施形態では「非再生状態」および「映像引継ぎ状態」において、表示部１２０を停止しているが、バックライトを消灯したり弱めたりしても同様の効果は実現可能である。
【００４６】
＜据置プレーヤの状態遷移についての説明＞
据置プレーヤ２００の動作状態には、「全画面表示状態」、「親子画面表示状態」、「引継ぎ中表示状態」及び「映像引継ぎ表示状態」の４種類があり、前述のように制御部２２０がこれらの状態遷移等を管理する。なお、「全画面表示」及び「親子画面表示」の表示形態については、制御部２２０に指示に基づき、画面管理部２５０が管理する。
【００４７】
図８は、据置プレーヤ２００における状態遷移を示す説明図である。
【００４８】
以下、図８を用いて状態遷移の説明を行う。
【００４９】
表示部１２０の電源投入前の「初期状態」では、「待機状態」であり画面表示は何も表示しない。また、音声出力も行わない。この状態において、ユーザの操作により表示部１２０の電源が投入され、「全画面表示状態」に遷移する。また、携帯プレーヤ１００から送受信部２１０及び制御部２２０を通じて引継ぎ指示があった場合にも、自動的に電源が投入され「全画面表示状態」に遷移する。
【００５０】
ここで、据置プレーヤ２００のユーザにより電源投入した場合の「全画面表示状態」では、ある特定のチャンネルが全画面で表示し、表示されているチャンネルの音声を出力する。据置プレーヤのユーザによりＵ／Ｉ部３００を通じてチャンネル選択があれば、この選択されたチャンネルが全画面表示される。
【００５１】
さらに、「全画面表示状態」に遷移後に、Ｕ／Ｉ部３００を通じて、「全画面表示」から「親子画面表示」への表示形態変更指示があった場合には、「親子画面表示状態」に遷移する。また、携帯プレーヤ１００から、引継ぎ指示を受けた場合には、「引継ぎ中状態」に遷移する。
【００５２】
「親子画面表示状態」では、図５（ａ）に示すような表示形態を取る。この表示形態では、それぞれの画面で異なるチャンネルが表示し、主画面で表示しているチャンネルの音声を出力する。この状態において、全画面への表示形態変更指示があった場合、「全画面表示状態」に戻る。
【００５３】
また、「引継ぎ中状態」では、「親子画面表示状態」と同様、図５（ａ）に示すような表示形態を取る。この状態で携帯プレーヤ１００からキャンセル指示があった場合、「親子画面表示状態」に戻る。また、携帯プレーヤ１００から映像引継ぎ受理指示があった場合、「映像引継ぎ状態」に遷移する。
【００５４】
「映像引継ぎ状態」では、「親子画面表示状態」と同様、図５（ａ）に示すような表示形態を取る。この状態において、全画面表示への表示形態変更指示があった場合、「全画面表示状態」に遷移し、コンテンツの引き継ぎが完了する。
【００５５】
続いて、上記説明した携帯プレーヤ及び据置プレーヤの動作遷移について処理フロー図（図９〜図１１）を用いて、以下に詳細に説明する。
【００５６】
＜引継ぎ指示があった際の携帯プレーヤ側の処理の説明＞
まず、図９を参照しながら、ユーザからの引継ぎ指示があった際の携帯プレーヤ１００の制御部１４０における処理を説明する。
【００５７】
据置プレーヤ２００に対して、送受信部１５０を通じて引継ぎ指示を出す（ステップＳ１０ａ）。次に、引継ぎ状態を「再生状態」から「引継ぎ中状態」に変更し、図７に示すように、各処理ブロックの稼動状態を変更する（ステップＳ１０ｂ）。
【００５８】
そして、据置プレーヤ２００からの応答を待ち（ステップＳ１０ｃ）、応答が映像引継ぎ通知であれば（ステップＳ１０ｄ；ｙｅｓ）、再度、据置プレーヤ２００からの応答を待ち（ステップＳ１０ｅ）、応答が到着し、それが引継ぎ完了通知だった場合（ステップＳ１０ｆ；ｙｅｓ）、引継ぎ状態を「映像引継ぎ状態」から「非再生状態」に変更し、図７に基づき、各処理ブロックの稼動状態を変更する（ステップＳ１０ｇ）。
【００５９】
一方、キャンセル通知等、据置プレーヤ２００から期待される応答がなかった場合（ステップＳ１０ｄ；ｎｏ、ステップＳ１０ｆ；ｎｏ）、引継ぎ状態を「再生状態」に変更し、図７に基づき、各処理ブロックの稼動状態を変更する（ステップＳ１０ｈ）。
【００６０】
＜引継ぎ指示があった際の据置プレーヤ側の処理の説明＞
つづいて、図１０を参照しながら、携帯プレーヤ１００からの引継ぎ指示があった際の据置プレーヤ２００の制御部２２０における処理を説明する。
【００６１】
引継ぎ指示と同時に指定されたチャンネル情報を取得する（ステップＳ２０ａ）。
【００６２】
次に、現在の表示状態が、画面に映像が映されていない状態である「待機状態」（初期状態）であるかどうかをチェックし（ステップＳ２０ｂ）、「待機状態」であれば（ユーザにより本据置プレーヤ２００が使用されていない状態）（ステップＳ２０ｂ；ｙｅｓ）、表示状態を「待機状態」から「全画面表示状態」とし（ステップＳ２０ｉ）、親画面のチャンネルを先ほど取得したチャンネル情報に基づき設定する（ステップＳ２０ｊ）。その上で、携帯プレーヤ１００に対し、送受信部２１０を通じて引継ぎ完了を通知し（ステップＳ２０ｋ）、最終的に画面管理部２５０を通じて実際の表示形態を更新する（ステップＳ２０ｈ）。具体的には、画面管理部が前述の表示状態に応じた表示形態、音声出力が得られるよう、映像合成部２６０および音声選択部２８０に指示を出す。
【００６３】
もし、「待機状態」でなければ（ユーザにより本据置プレーヤ２００が使用されている状態）（（ステップＳ２０ｂ；ｎｏ）、表示形態を「待機状態」から「引継ぎ中状態」に変更する（ステップＳ２０ｃ）。このとき、表示形態が「全画面表示状態」であるか否かを調べ（ステップＳ２０ｄ）、全画面表示状態であれば（ステップＳ２０ｄ；ｙｅｓ）、表示形態を「引継ぎ中状態」から「映像引継ぎ状態」に変更し（ステップＳ２０ｅ）、再生部２３０あるいは再生部２４０に対して、子画面に対応するチャンネル番号をチャンネル情報に基づき設定する（ステップＳ２０ｆ）。その上で、携帯プレーヤ１００に対し、映像引継ぎ通知を行い（ステップＳ２０ｇ）、最終的に実際の表示形態を更新する（ステップＳ２０ｈ）。
【００６４】
表示状態が「全画面表示状態」でなかった場合（ステップＳ２０ｄ；ｎｏ）、すでに「親子画面表示状態」となっていることを意味するため、携帯プレーヤ１００からの視聴要求チャンネルを表示するために現在視聴中の子画面側のチャンネルを切り替えることが必要になる。そのため、子画面側のチャンネルを切り替えてもよいかどうかをＵ／Ｉ３００を介してユーザに問い合わせ、確認情報を得る（ステップＳ２０ｌ）。なお、子画面で現在視聴中のチャンネルと引き継ごうとしているチャンネルが同一であった場合、この問い合わせはスキップしてもよい。
【００６５】
もし、ユーザから許可情報を受信した場合（ステップＳ２０ｍ；ｙｅｓ）、先ほど説明した「全画面表示状態」の場合と同様の処理（ステップＳ２０ｅ〜ステップＳ２０ｈ）を行う。一方、ユーザから許可情報を受信できなかった場合（ステップＳ２０ｍ；ｎｏ）、携帯プレーヤ１００に対して、引継ぎが拒絶されたことを意味するキャンセル通知を行い（ステップＳ２０ｎ）、実際の表示形態を更新する（ステップＳ２０ｈ）。
【００６６】
＜表示形態変更指示があった際の据置プレーヤの処理＞
続いて、図１１を参照しながら、携帯プレーヤ１００からの表示形態変更指示があった際の据置プレーヤ２００の制御部２２０における処理を説明する。
【００６７】
まず、現在の引継ぎ状態が「映像引継ぎ状態」であるか否かをチェックし（ステップＳ３０ａ）、「映像引継ぎ状態」であれば（ステップＳ３０ａ；ｙｅｓ）、表示状態を「全画面表示状態」に変更した上で（ステップＳ３０ｂ）、携帯プレーヤ１００に対し引継ぎ完了通知を行い（ステップＳ３０ｃ）、画面管理部２５０を通じて実際の表示形態を更新する（ステップＳ３０ｄ）。
【００６８】
もし、「映像引継ぎ状態」でなければ（ステップＳ３０ａ；ｎｏ）、表示状態が「全画面表示状態」であるかどうかを調べ（ステップＳ３０ｅ）、「全画面表示状態」であれば（ステップＳ３０ｅ；ｙｅｓ）、表示状態を「親子画面表示状態」に変更し（ステップＳ３０ｆ）、そうでなければ（ステップＳ３０ｅ；ｎｏ）、「全画面表示状態」に変更し（ステップＳ３０ｇ）、実際の表示形態を更新する（Ｓ３０ｄ）。
【００６９】
以上説明したように、すでに据置機器で他のユーザが別のコンテンツを視聴していた場合でも、音声出力に影響を与えず、しかも映像出力への影響を最小限にすることで、継続視聴を行いやすくすることができる。また、その状態において、携帯機器における消費電力を削減することができる。
【００７０】
なお、デジタル放送においては、機器毎のデコード時間の違いにより、同一チャンネルを再生していても機器間で再生の位相がわずかにずれることがある。このずれにより「映像引継ぎ状態」において、携帯プレーヤ１００の音声出力と据置プレーヤ２００の映像出力のずれが生じ、いわゆるリップシンクのずれが発生する。そのような位相のずれを解消するため、再生部１１０あるいは再生部２３０・２４０にバッファメモリを追加し、ビデオ出力あるいはオーディオ出力を遅延させることで「映像引継ぎ状態」において、上記ずれを解消することが可能となる。
【００７１】
また、本実施形態では、放送等プッシュ型のメディアの視聴引継ぎを対象としたが、ファイル再生やダウンロード再生等のプル型のメディアの視聴引継ぎにも適用可能なことは言うまでもない。その場合、携帯プレーヤからの引継ぎ指示の際に、携帯プレーヤで視聴中のコンテンツのコンテンツＩＤおよび視聴時刻情報を据置プレーヤに知らせ、据置プレーヤはその情報に基づきコンテンツをプレーヤ内あるいはネットワーク上で検索し、子画面で再生開始すればよい。
【００７２】
さらに、本実施形態では、「映像引継ぎ状態」において映像を子画面表示しているが、同じ大きさで表示したとしても、視聴中のコンテンツのオーディオ出力が邪魔されないという本発明の効果が得られることは言うまでもない。
【００７３】
最後に、携帯プレーヤ１００、据置プレーヤ２００の各ブロックは、ハードウェアロジックによって構成してもよいし、以下のようにＣＰＵを用いてソフトウェアによって実現してもよい。すなわち、ビデオディスクプレーヤ１は、各機能を実現する制御プログラムの命令を実行するＣＰＵ（Ｃｅｎｔｒａｌ  Ｐｒｏｃｅｓｓｉｎｇ  Ｕｎｉｔ）、上記プログラムを格納したＲＯＭ（Ｒｅａｄ  Ｏｎｌｙ  Ｍｅｍｏｒｙ）、上記プログラムを展開するＲＡＭ（Ｒａｎｄｏｍ  Ａｃｃｅｓｓ  Ｍｅｍｏｒｙ）、上記プログラムおよび各種データを格納するメモリ等の記憶装置（記録媒体）などを備えている。そして、本発明の目的は、上述した機能を実現するソフトウェアである携帯プレーヤ１００、据置プレーヤ２００の制御プログラムのプログラムコード（実行形式プログラム、中間コードプログラム、ソースプログラム）をコンピュータで読み取り可能に記録した記録媒体を、上記携帯プレーヤ１００、据置プレーヤ２００に供給し、そのコンピュータ（またはＣＰＵやＭＰＵ）が記録媒体に記録されているプログラムコードを読み出し実行することによっても、達成可能である。
【００７４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７５】
また、携帯プレーヤ１００、据置プレーヤ２００を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号（伝送媒体）の形態でも実現され得る。
【産業上の利用可能性】
【００７６】
本発明のコンテンツ再生システムは、ビデオプレーヤや放送受信機などを用いたコンテンツ再生システムに好適に利用することができる。
【図面の簡単な説明】
【００７７】
【図１】本実施形態に係るコンテンツ再生システムの一構成例を示す。
【図２】本実施形態における携帯プレーヤの概略構成を示す機能ブロック図である。
【図３】再生部のワンセグ放送の映像・音声を再生部分の概略構成を示すブロック図である。
【図４】本実施形態における据置プレーヤの概略構成を示すブロック図である。
【図５】本実施形態における据置プレーヤの複数映像表示の形態を示す説明図である。
【図６】本実施形態における携帯プレーヤの引継ぎの状態遷移を示す説明図である。
【図７】本実施形態における携帯プレーヤの映像引継ぎの状態毎の各処理部の動作を示す説明図である。
【図８】本実施形態における据置プレーヤの引継ぎの状態遷移を示す説明図である。
【図９】本実施形態における引継ぎ指示があった際の携帯プレーヤの処理の流れを示すフローチャートである。
【図１０】本実施形態における引継ぎ通知があった際の据置プレーヤの処理の流れを示すフローチャートである。
【図１１】本実施形態における表示形態変更指示があった際の据置プレーヤの処理の流れを示すフローチャートである。
【符号の説明】
【００７８】
１００    携帯プレーヤ
１１０    再生部
１２０    表示部
１３０    音声出力部
１４０    制御部
１５０    送受信部
１６０    Ｕ／Ｉ部
１７０    アンテナ
２００    据置プレーヤ
２１０    送受信部
２２０    制御部
２３０    再生部
２４０    再生部
２５０    画面管理部
２６０    映像合成部
２７０    表示部
２８０    音声選択部
２９０    音声出力部
３００    Ｕ／Ｉ部
【図１】
2009296379.tif 000003
【図２】
2009296379.tif 000004
【図３】
2009296379.tif 000005
【図４】
2009296379.tif 000006
【図５】
2009296379.tif 000007
【図６】
2009296379.tif 000008
【図７】
2009296379.tif 000009
【図８】
2009296379.tif 000010
【図９】
2009296379.tif 000011
【図１０】
2009296379.tif 000012
【図１１】
2009296379.tif 000013